(57)【要約】【課題】記録データの確実な記録を行い得る情報媒体を提供する。【解決手段】記録データを記録可能に構成された記録層３がディスク本体２における記録面２ａ（少なくとも一方の面）に形成された光ディスク１（情報媒体）であって、ディスク本体２における記録面２ａ（記録層３の形成面）に配設されたブラシ６（払拭体）を有するクリーニング部４を備えている。また、その先端部が記録面２ａにおけるリードインエリアＡ３および記録処理用領域Ａ２（記録処理用システム領域）のいずれかの上方に位置するようにブラシ６が配設されている。【選択図】図１
0003134492.tif 000002
【実用新案登録請求の範囲】
【請求項１】
記録データを記録可能に構成された記録層がディスク本体における少なくとも一方の面に形成された情報媒体であって、
前記ディスク本体における前記記録層の形成面に配設された払拭体を有するクリーニング部を備えている情報媒体。
【請求項２】
前記払拭体は、その先端部が前記形成面におけるリードインエリアおよび記録処理用システム領域のいずれかの上方に位置するように配設されている請求項１記載の情報媒体。
【請求項３】
前記払拭体は、その先端部が前記形成面におけるＴＯＣ情報記録領域の上方に位置するように配設されている請求項１または２記載の情報媒体。
【請求項４】
前記払拭体は、前記形成面に対して斜めの状態に植設されている請求項１から３のいずれかに記載の情報媒体。
【請求項５】
前記払拭体は、その先端部における当該情報媒体の回転方向に沿った幅が０．６ｍｍ以内となるように構成されている請求項１から４のいずれかに記載の情報媒体。
【請求項６】
前記払拭体は、繊維を束ねて構成されている請求項１から５のいずれかに記載の情報媒体。
【考案の詳細な説明】
【技術分野】
【０００１】
本考案は、記録データの追記または上書きが可能に構成された情報媒体に関するものである。
【背景技術】
【０００２】
この種の情報媒体（一例として、光ディスク）に記録された記録データの再生（記録データの読み取り）に際して、再生装置におけるピックアップレンズ（以下、「レンズ」ともいう）に汚れが生じた状態（レンズの表面に塵埃等が付着した状態）においては、光ディスクに対するレーザービームの照射や、光ディスクによって反射されたレーザービームの受光が妨げられることに起因して、再生エラーが発生するおそれがある。このため、記録データの再生に先立って、レンズをクリーニングするための各種のレンズクリーナが提案されている。
【０００３】
例えば、特開平２−２３２８７８号公報には、ＣＤ（コンパクトディスク）と実質的に同一形状のレンズクリーナが開示されている。このレンズクリーナは、円板状のディスクと、ディスクにおける読み取り面（記録データが記録されている面：信号記録面）に設けられたクリーニング部材とを備えて構成されている。この場合、このレンズクリーナでは、ディスクの信号記録面におけるリードインエリアよりも外周側（すなわち、信号記録領域）に直径０．５ｍｍ程度の装着孔を形成すると共に、１０本程度の極細ブラシ毛をこの装着孔に挿通させ、ディスクのラベル面側において各極細ブラシ毛を粘着テープによってディスクに固定することでクリーニング部材が構成されている。
【０００４】
このレンズクリーナによってレンズをクリーニングする際には、再生装置にレンズクリーナをセットして再生処理を実行させる。この際には、まず、ピックアップがレンズクリーナのリードインエリアに移動すると共に、ディスクが回転させられる。次いで、レンズクリーナにおける信号記録領域に記録されている記録データ（この例では、音声データ）の再生が開始され、ピックアップが信号記録領域における内周側から外周側に向かって移動させられる。この際に、上記のクリーニング部材が配設された領域にピックアップが移動させられることにより、クリーニング部材の各極細ブラシ毛がレンズの表面に順次接触する。これにより、レンズの表面に付着している塵埃等が各極細ブラシ毛によって払拭されてレンズがクリーニングされる。
【特許文献１】特開平２−２３２８７８号公報（第３−４頁、第１−７図）
【考案の開示】
【考案が解決しようとする課題】
【０００５】
ところが、従来のレンズクリーナには、以下の問題点がある。すなわち、従来のレンズクリーナでは、ディスクの信号記録領域に植設した各極細ブラシ毛（以下、「ブラシ」ともいう）によってレンズの表面に付着している塵埃等を払拭する構成が採用されている。一方、今日では、光ディスクレコーダや、光ディスクをストレージメディアとして採用したデジタルカメラ（以下、「記録再生装置」ともいう）の普及に伴い、ＣＤ−Ｒ、ＣＤ−ＲＷ、ＤＶＤ−Ｒ、ＤＶＤ−ＲＷ、ＤＶＤ−ＲＭおよびＢＤ（Blu-ray Disc（登録商標））等の各種の記録型光ディスク（記録データの記録が可能に構成された光ディスク）を使用する機会が増えている。この場合、記録型の光ディスクにおいては、記録再生パワーに調整したレーザービームを光ディスクに照射することで、光ディスクの所定部位の光反射率を変化させて記録マークを形成することで記録データを記録する構成が採用されている。
【０００６】
したがって、記録データの記録時においてレンズの表面に塵埃等が付着している状態においては、記録マークを形成するためのレーザービームの照射が妨げられることに起因して、所望の光反射率の記録マークを形成することが困難となることがある。この結果、記録データの記録が不完全となって正常な再生が困難となるおそれがある。この場合、記録データの再生時においてレンズに塵埃等が付着しているときには、再生処理を一旦停止してレンズクリーナ等によってクリーニングしたり、レンズが汚れていない他の再生装置にセットし直して再生処理を開始したりすることで、正常な再生が可能となる。これに対して、記録データの記録時においてレンズに塵埃等が付着している状態においては、上記のように、記録マークの形成が妨げられることに起因して、記録処理の完了後において、どのようにレンズをクリーニングしたとしても、記録データの正常な再生が可能となることはない。したがって、記録再生装置のレンズに塵埃等が付着しているときには、記録型光ディスクに対する記録データの記録に先立って、前述したレンズクリーナ等を用いてレンズをクリーニングする必要がある。
【０００７】
しかしながら、従来のレンズクリーナを用いたクリーニングでは、クリーニングが完了した後に、レンズクリーナを記録再生装置から取り出して記録型光ディスクをセットするまでの間において、記録再生装置におけるディスク出入り口から装置内に塵埃が侵入し、侵入した塵埃がレンズの表面に付着するおそれがある。このため、従来のレンズクリーナには、たとえ記録データの記録に先立ってクリーニングを実行したとしても、記録型光ディスクに対する記録データの記録を開始する以前にレンズの表面に塵埃等が付着して、これに起因して記録エラーが生じるおそれがあるという問題点が存在する。また、記録型光ディスクに対する記録データの記録の都度、記録型光ディスクとは別個に用意したレンズクリーナをセットしてクリーニングする処理が煩雑であるという問題点存在する。
【０００８】
本考案は、かかる問題点に鑑みてなされたものであり、情報媒体に対する記録データの確実な記録を行い得る情報媒体を提供することを主目的とする。
【課題を解決するための手段】
【０００９】
上記目的を達成すべく本考案に係る情報媒体は、記録データを記録可能に構成された記録層がディスク本体における少なくとも一方の面に形成された情報媒体であって、前記ディスク本体における前記記録層の形成面に配設された払拭体を有するクリーニング部を備えている。なお、本考案に係る情報媒体には、いわゆる光ディスクおよび光磁気ディスクの双方が含まれる。また、本考案における「記録データを記録可能に構成された記録層」とは、「記録データの追記または上書きが可能に構成された記録層」を意味する。さらに、本考案に係るクリーニング部の構成には、乾式のクリーニング部および湿式のクリーニング部の双方が含まれる。
【００１０】
また、本考案に係る情報媒体は、その先端部が前記形成面におけるリードインエリアおよび記録処理用システム領域のいずれかの上方に位置するように前記払拭体が配設されている。なお、本考案における「記録処理用システム領域」とは、例えば、ＰＣＡ（Power Calibration Area）、ＲＭＡ（Recording Management Area）およびＴＯＣ領域など「記録データの記録処理に際しての各種処理を実行するための領域や、記録データの記録処理に際して必要となる情報が記録されている領域」を意味する。
【００１１】
さらに、本考案に係る情報媒体は、その先端部が前記形成面におけるＴＯＣ情報記録領域の上方に位置するように前記払拭体が配設されている。
【００１２】
また、本考案に係る情報媒体は、前記形成面に対して斜めの状態に前記払拭体が植設されている。
【００１３】
さらに、本考案に係る情報媒体は、その先端部における当該情報媒体の回転方向に沿った幅が０．６ｍｍ以内となるように前記払拭体が構成されている。
【００１４】
また、本考案に係る情報媒体は、前記払拭体が繊維を束ねて構成されている。
【考案の効果】
【００１５】
本考案に係る情報媒体では、記録層の形成面に配設された払拭体を有するクリーニング部を備えてディスク本体が構成されている。このため、本考案に係る情報媒体によれば、この情報媒体を記録再生装置にセットして記録処理を実行することで、記録再生装置におけるピックアップのレンズをクリーニング部によってクリーニングすることができる。したがって、この情報媒体によれば、記録データを記録する情報媒体とは別個に用意したレンズクリーナによって記録処理に先立って記録再生装置のレンズをクリーニングするのとは異なり、レンズのクリーニングを完了してから、情報媒体に対する記録データの記録を開始するまでの間に塵埃等がレンズに付着する事態を回避して、塵埃等が付着していない綺麗なレンズを用いて記録データを記録することができる。これにより、正常な再生が可能に記録データを正確に記録することができる。また、この情報媒体によれば、記録データの記録に先立って例えばレンズクリーナを用いてレンズをクリーニングするのとは異なり、煩雑なディスクの入れ替え作業を不要とすることができる。
【００１６】
また、本考案に係る情報媒体では、払拭体の先端部が形成面におけるリードインエリアおよび記録処理用システム領域のいずれかの上方に位置するようにクリーニング部が構成されている。したがって、本考案に係る情報媒体によれば、データ記録領域に対する記録データの記録に先立ってピックアップのレンズが必ず移動させられるリードインエリアや記録処理用システム領域に払拭体の先端部を位置させたことで、記録データの記録に先立ってレンズの表面を確実にクリーニングすることができる。
【００１７】
さらに、本考案に係る情報媒体では、払拭体の先端部が形成面におけるＴＯＣ情報記録領域の上方に位置するようにクリーニング部が構成されている。したがって、本考案に係る情報媒体によれば、例えば記録処理用システム領域に払拭体の先端部を位置させた構成とは異なり、再生専用装置のように、記録処理用システム領域にピックアップを移動させることのない装置においても、そのレンズをクリーニングすることができる。
【００１８】
また、本考案に係る情報媒体では、記録層の形成面に対して払拭体が斜めの状態に植設されている。したがって、本考案に係る情報媒体によれば、スタック状態で収容ケースに保管した状態において払拭体が折り曲げられて変形する事態を回避することができる。これにより、この情報媒体によれば、払拭体の変形に起因してレンズのクリーニングが困難となる事態を回避して、確実にクリーニングすることができる。
【００１９】
さらに、本考案に係る情報媒体では、払拭体の先端部における情報媒体の回転方向に沿った幅が０．６ｍｍ以内となるように構成されている。したがって、本考案に係る情報媒体によれば、払拭体の存在に起因して各種のデータの読み取りが妨げられる事態を回避することができる。
【００２０】
また、本考案に係る情報媒体では、払拭体が繊維を束ねたブラシで構成されている。したがって、本考案に係る情報媒体によれば、例えば布帛（織布または不織布）で構成する払拭体と比較して、弾性復帰力を十分に大きくすることができるため、レンズの表面に強固に付着している塵埃を確実に除去することができる。
【考案を実施するための最良の形態】
【００２１】
以下、本考案に係る情報媒体の最良の形態について、添付図面を参照して説明する。
【００２２】
最初に、光ディスク１の構成について、図面を参照して説明する。
【００２３】
図１に示す光ディスク１は、本考案に係る情報媒体の一例である片面１層の追記型の光ディスク（一例として、ＤＶＤ−Ｒ）であって、ディスク本体２と、ディスク本体２に配設されたクリーニング部４とを備えている。この場合、ディスク本体２は、ＤＶＤ−Ｒと実質的に同一形状に形成されている。具体的には、ディスク本体２は、その直径が一例として、１２０ｍｍ程度で、その厚みが一例として、１．２ｍｍ程度の円板状に形成されている。また、ディスク本体２の中心部には、光ディスク１をディスク装置（記録再生装置や再生装置）にクランピングさせるための直径１５ｍｍ程度の中心孔２ｃが形成されている。さらに、図１，２に示すように、ディスク本体２の記録面２ａ（本考案における一方の面）には、その内周部側から、内周領域Ａ１、記録処理用領域Ａ２、リードインエリアＡ３、データ記録領域Ａ４およびリードアウトエリアＡ５が順に形成されると共に、ディスク本体２の厚み方向における中央部に記録層３が形成されて、記録層３におけるデータ記録領域Ａ４に各種の記録データ（映像データや音声データ等）を記録可能に構成されている。
【００２４】
この場合、内周領域Ａ１は、上記の中心孔２ｃが形成されると共に、中心孔２ｃの周囲には、環状のクランピング領域が規定されている。また、記録処理用領域Ａ２は、本考案における記録処理用システム領域の一例であって、この光ディスク１では、ＰＣＡおよびＲＭＡの２つの領域が内周側からこの順で規定されて構成されている。リードインエリアＡ３、データ記録領域Ａ４およびリードアウトエリアＡ５は、いわゆるインフォメーションエリアを構成する領域であって、この光ディスク１では、一例としてデータ記録領域Ａ４におけるリードインエリアＡ３の側（内周側）からリードアウトエリアＡ５の側に向けて記録データが順に記録される構成が採用されている。
【００２５】
また、リードインエリアＡ３内には、ＴＯＣ（Table Of Contents ）を記録するための領域が設けられて、後述するように、この光ディスク１では、このＴＯＣを記録する領域の上方に本考案における払拭体の先端部が位置するようにクリーニング部４が構成されている。なお、このＴＯＣが記録される領域は、上記の例のようにリードインエリアＡ３内に限定されず、情報媒体の規格によっては、リードインエリアＡ３よりも内周側の所定領域、または、リードインエリアＡ３よりも外周側の所定領域（データ記録領域Ａ４内）に規定される場合もある。さらに、ディスク本体２のレーベル面２ｂには、例えばインクジェット式プリンタによる各種図柄等の印刷が可能な空隙型（多孔質型）のインク受理層（インク受容層）、および白色下地層を有する印刷層（図示せず）が形成されている。
【００２６】
クリーニング部４は、一例として、乾式のクリーニング部（クリーニング液等を使用しないタイプのクリーニング部）であって、ディスク本体２における内周領域Ａ１に形成された挿入用孔５に例えば合成樹脂製の繊維を束ねたブラシ６（本考案における払拭体の一例）が植設されて構成されている。この場合、ブラシ６を構成する合成樹脂製の繊維としては、一例として、エチレンビニルアルコールやポリエステル等の各種樹脂材料で形成された繊維を採用することができる。また、各繊維の太さや、１つのブラシ６を構成する複数の繊維の本数については、特に限定されないが、この光ディスク１では、一例として、直径５μｍ程度のポリエステル製の繊維を２００本程度束ねて上記のブラシ６が構成されている。
【００２７】
また、図３，４に示すように、この光ディスク１では、上記の挿入用孔５（すなわち、ブラシ６の基端部が位置する部位）がディスク本体２における内周領域Ａ１に形成されている。さらに、この光ディスク１では、ブラシ６における先端部がリードインエリアＡ３におけるＴＯＣの記録領域の上方に位置するように、ブラシ６が記録面２ａに対して斜めの状態に植設されてクリーニング部４が構成されている。この場合、図３に示すように、挿入用孔５に植設されたブラシ６は、その先端部の記録面２ａからの高さＨが０．２ｍｍ〜２．０ｍｍ（一例として、１．８ｍｍ）となっている。また、この光ディスク１では、図４に示すように、光ディスク１の回転方向（同図における上下方向）に沿ったブラシ６の先端部の幅Ｗが一例として、０．５ｍｍ（０．６ｍｍ以下の一例）となっている。なお、ＴＯＣの記録領域がリードインエリアＡ３以外に規定されている情報媒体においては、その情報媒体におけるＴＯＣの記録領域の上方にブラシ６の先端部を位置させるように構成するのが好ましい。
【００２８】
次に、光ディスク１を用いて、記録再生装置や再生装置における光ピックアップのレンズをクリーニングする方法について、図面を参照して説明する。
【００２９】
この光ディスク１では、通常のＤＶＤ−Ｒと同様にして、複数枚の光ディスク１をスタックポールに挿通させた状態でスタックされて販売される。この場合、単一の光ディスクを樹脂製の収容ケースに収容して販売する形態とは異なり、上記のように複数枚の光ディスク１をスタックして収容する販売形態では、図５に示すように、収容ケース内において各光ディスク１がその厚み方向で極く近距離で接近した状態となっている。したがって、従来のレンズクリーナのようにディスクの信号記録面（光ディスク１における記録面２ａ）に対して垂直にブラシを立設するようにして植設した構成では、ブラシの先端部が、積層方向において隣接するディスクのレーベル面に当接する結果、ブラシがそのディスク面に沿うようにして強く折り曲げられた状態となる（図示せず）。
【００３０】
このため、従来のレンズクリーナのように信号記録面に対してブラシを垂直に植設した構成においては、スタック状態においてブラシが強く折り曲げられた状態が長期に亘って維持されて、これに起因して、ブラシが変形するおそれがある。このような状態においては、ディスクを収容ケースから取り出したときに、ブラシの先端部の信号記録面からの高さが低くなっているため、後述するレンズのクリーニング時において、レンズの表面にブラシの先端部が当接しない状態となるおそれがある。
【００３１】
一方、この光ディスク１では、前述したように、ディスク本体２の記録面２ａに対してブラシ６が斜めの状態に植設されている。したがって、図５に示すように、複数枚の光ディスク１をスタックして収容した状態においても、ブラシ６が過剰に強い力で折り曲げられる事態が回避される結果、この光ディスク１を収容ケースから取り出したときには、ブラシ６が容易に弾性復帰する。したがって、後述するように、レンズのクリーニング時において、レンズの表面にブラシ６の先端部を確実に当接させることが可能となっている。
【００３２】
この光ディスク１によるレンズのクリーニングに際しては、まず、通常のＤＶＤをセットする際と同様にして、記録面２ａをピックアップ（レンズ）に対向させるようにして光ディスク１を記録再生装置にセットする。次いで、記録再生装置に対して記録データの記録処理を実行させる。この際に、記録再生装置の制御部は、光ディスク１の回転を開始させると共に、光ディスク１のリードインエリアＡ３内におけるＴＯＣの記録領域にピックアップを移動させて光ディスク１から基本ＴＯＣを読み出す。
【００３３】
この際に、この光ディスク１では、クリーニング部４におけるブラシ６の先端部がリードインエリアＡ３におけるＴＯＣの記録領域に位置するように構成されている。したがって、光ディスク１が回転させられている状態においてピックアップがＴＯＣの記録領域に移動させられることで、レンズの角部にブラシ６の先端部側が当接し、その状態において光ディスク１がさらに回転させられることにより、ブラシ６が光ディスク１の回転方向における下流側に向かって撓まされるようにしてレンズの表面に押し付けられる。これにより、レンズの表面に付着している塵埃が払拭されてクリーニングされる。
【００３４】
また、この光ディスク１では、前述したように、ブラシ６の先端部の回転方向に沿った幅Ｗが０．５ｍｍという狭幅に規定されている。したがって、このブラシ６の存在に起因してリードインエリアＡ３からのＴＯＣの読み取りが妨げられる事態が回避され、読み出した基本ＴＯＣ情報に基づき、光ディスク１がＤＶＤ−Ｒであると正しく認識させることが可能となっている。この場合、出願人は、上記の幅Ｗを０．６ｍｍを超える長さに規定したときに、記録再生装置の種類によっては、エラーが発生したと認識される事態が生じるのを確認している。一方、出願人は、上記の幅Ｗが０．２ｍｍを下回る長さに規定したときには、ブラシ６の弾性力が不足することに起因して、塵埃の確実な払拭が困難となるのを確認している。したがって、上記の幅Ｗは、０．２ｍｍ以上０．６ｍｍ以下の範囲内とするのが好ましい。
【００３５】
一方、基本ＴＯＣ情報に基づき、光ディスク１が記録型の光ディスクであると認識した制御部は、光ディスク１に対する記録データの記録処理を継続する。具体的には、制御部は、ピックアップを記録処理用領域Ａ２に移動させてＰＣＡおよびＲＭＡにおいて所定の記録前処理を実行した後に、ピックアップをデータ記録領域Ａ４に移動させ、その内周側から外周側に向けて、記録すべき記録データのデータ内容に応じてレーザービームを照射させる。これにより、記録層３におけるデータ記録領域Ａ４に記録マークが形成されて記録データが記録される。この際に、ピックアップがデータ記録領域Ａ４に移動させられるのに先立って上記したようにリードインエリアＡ３においてレンズの表面がクリーニングされているため、ピックアップからのレーザービームの照射が塵埃等によって妨げられることなく、記録処理用領域Ａ２において調整された所望のパワーで光ディスク１の記録層３にレーザービームが照射される。これにより、記録データのデータ内容に応じた所望の記録マークが記録層３に形成されて、記録データの記録が完了する。
【００３６】
また、この光ディスク１では、記録データの記録に先立って記録再生装置のレンズをクリーニングする上記の処理のみならず、例えば、データ記録領域Ａ４に記録データを記録した光ディスク１を再生装置にセットして記録データを再生する際に、再生装置のレンズもクリーニングすることができる。具体的には、記録データの記録が完了した光ディスク１を再生装置にセットして再生開始ボタンを操作した際に、再生装置の制御部は、光ディスク１の回転を開始させると共に、光ディスク１のリードインエリアＡ３内におけるＴＯＣの記録領域にピックアップを移動させて光ディスク１から基本ＴＯＣを読み出す。
【００３７】
この際に、前述したように、この光ディスク１では、クリーニング部４におけるブラシ６の先端部がリードインエリアＡ３におけるＴＯＣの記録領域に位置するように構成されている。したがって、光ディスク１に対する記録データの記録時に記録再生装置においてレンズがクリーニングされるのと同様にして、再生装置におけるピックアップのレンズがクリーニングされる。これにより、塵埃等が付着していない状態のレンズを介して、再生パワーに調整されたレーザービームの照射、および光ディスク１によって反射されたレーザービームの受光が行われる。これにより、記録層３におけるデータ記録領域Ａ４に記録された上記の記録データが再生される。
【００３８】
このように、この光ディスク１では、記録面２ａ（記録層３の形成面）に配設されたブラシ６（払拭体）を有するクリーニング部４を備えてディスク本体２が構成されている。このため、この光ディスク１によれば、この光ディスク１を記録再生装置にセットして記録処理を実行することで、記録再生装置におけるピックアップのレンズをクリーニング部４によってクリーニングすることができる。したがって、この光ディスク１によれば、記録データを記録する情報媒体とは別個に用意したレンズクリーナによって記録処理に先立って記録再生装置のレンズをクリーニングするのとは異なり、レンズのクリーニングを完了してから、情報媒体に対する記録データの記録を開始するまでの間に塵埃等がレンズに付着する事態を回避して、塵埃等が付着していない綺麗なレンズを用いて記録データを記録することができる。これにより、正常な再生が可能に記録データを正確に記録することができる。また、この光ディスク１によれば、記録データの記録に先立って例えばレンズクリーナを用いてレンズをクリーニングするのとは異なり、煩雑なディスクの入れ替え作業を不要とすることができる。
【００３９】
また、この光ディスク１では、ブラシ６の先端部が記録面２ａにおけるリードインエリアＡ３および記録処理用領域Ａ２のいずれかの上方（この例では、リードインエリアＡ３）に位置するようにクリーニング部４が構成されている。したがって、この光ディスク１によれば、データ記録領域Ａ４に対する記録データの記録に先立ってピックアップのレンズが必ず移動させられるリードインエリアＡ３（この例では、リードインエリアＡ３）や記録処理用領域Ａ２（記録処理用システム領域）にブラシ６の先端部を位置させたことで、記録データの記録に先立ってレンズの表面を確実にクリーニングすることができる。
【００４０】
さらに、この光ディスク１によれば、ブラシ６の先端部が記録面２ａにおけるＴＯＣ情報記録領域（この例では、リードインエリアＡ３内の所定位置）の上方に位置するようにクリーニング部４が構成されている。したがって、この光ディスク１によれば、例えば記録処理用領域Ａ２にブラシ６の先端部を位置させた構成とは異なり、再生専用装置のように、記録処理用領域Ａ２にピックアップを移動させることのない装置においても、そのレンズをクリーニングすることができる。
【００４１】
また、この光ディスク１では、記録面２ａに対してブラシ６が斜めの状態に植設されている。したがって、この光ディスク１によれば、スタック状態で収容ケースに保管した状態においてブラシ６が折り曲げられて変形する事態を回避することができる。これにより、この光ディスク１によれば、ブラシ６の変形に起因してレンズのクリーニングが困難となる事態を回避して、確実にクリーニングすることができる。
【００４２】
さらに、この光ディスク１では、ブラシ６の先端部における光ディスク１の回転方向に沿った幅Ｗが０．６ｍｍ以内（この例では、０．５ｍｍ）となるように構成されている。したがって、この光ディスク１によれば、ブラシ６の存在に起因して各種のデータの読み取り（この例では、ＴＯＣ情報）が妨げられる事態を回避することができる。
【００４３】
また、この光ディスク１では、繊維を束ねたブラシ６が本考案における払拭体として構成されている。したがって、この光ディスク１によれば、例えば布帛（織布または不織布）で構成する払拭体と比較して、弾性復帰力を十分に大きくすることができるため、レンズの表面に強固に付着している塵埃を確実に除去することができる。
【００４４】
なお、本考案は上記の構成に限定されない。例えば、ブラシ６の先端部がリードインエリアＡ３の上方（本発明における「リードインエリアおよび記録処理用システム領域のいずれか」の一例）に位置するように構成した光ディスク１を例に挙げて説明したが、本考案はこれに限定されず、情報媒体に対する記録再生時にピックアップが移動し得る任意の位置（例えば、上記の光ディスク１における記録処理用領域Ａ２からデータ記録領域Ａ４までの範囲内）にクリーニング部を配設する構成を採用することができる。具体的には、図６に示す光ディスク１Ａのように、その先端部がデータ記録領域Ａ４内に位置するようにブラシ６を配設してクリーニング部４ａを構成することができる。これにより、記録データの記録時にピックアップのレンズをクリーニングすることができる。この場合、クリーニング処理能力を低下させることなく、ブラシ６の存在に起因する記録エラーや再生エラーの発生を回避するためには、記録面２ａに対してブラシ６を垂直またはほぼ垂直に配設すると共に、その高さＨを０．２ｍｍ以上１．８ｍｍ以下の範囲内とし、その先端部の幅Ｗを０．２ｍｍ以上０．６ｍｍ以下の範囲内とするのが好ましい。
【００４５】
また、合成樹脂製の繊維を束ねたブラシ６を本考案における払拭体として備えた光ディスク１について説明したが、本考案における払拭体の構成はこれに限定されない。例えば、一枚の厚い織布（布帛の一例）で形成したブラシ、一枚の厚い不織布（布帛の他の一例）で形成したブラシ、複数枚の薄い織布（布帛のさらに他の一例）を重ね合わせて形成したブラシ、および一枚の薄い織布を折り重ねて形成したブラシのいずれかで本考案における払拭体を形成してクリーニング部を構成することもできる。この場合、上記の織布としては、一例として、ポリエステルやエチレンビニルアルコール等の各種樹脂材料で形成した織布を採用することができる。また、不織布としては、一例として、クラレ社製の商品名「ソフィスタ（登録商標）」を採用することができる。この場合、布帛で構成した払拭体を採用してクリーニング部を構成する場合、一例として、所定形状に裁断した布帛を接着剤によってディスク本体２の所定部位に接着して固定する構成を採用することができる。
【００４６】
さらに、乾式のクリーニング部４を備えた光ディスク１について説明したが、本考案における情報媒体の構成はこれに限定されず、湿式のクリーニング部（クリーニング液を使用するタイプのクリーニング部）を配設した構成を適用することができる。具体的には、一例として、その先端部が記録面２ａから所定長だけ突出するようにディスク本体２にブラシ６を貫通させると共に、レーベル面２ｂに保液部（例えば、クリーニング液を保液可能な凹部で構成された保液部や、クリーニング液を保液可能に不織布等が配設されて構成された保液部）を形成し、保液部に含浸させたクリーニング液をその基端部側からブラシ６に供給する構成を採用することができる。また、１枚の情報媒体に配設するクリーニング部の数は、前述した光ディスク１のような１つに限定されず、１枚の情報媒体につき２つ以上の任意の数のクリーニング部を配設することもできる。この場合、両面記録型の情報媒体においては、一方の面につき１つ以上の任意の数のクリーニング部を配設することができる。
【図面の簡単な説明】
【００４７】
【図１】光ディスク１の構成を示す断面図である。
【図２】記録面２ａ側から見た光ディスク１の平面図である。
【図３】光ディスク１におけるクリーニング部４の近傍の断面図である。
【図４】光ディスク１におけるクリーニング部４の近傍の平面図である。
【図５】複数枚の光ディスク１をスタックした状態の断面図である。
【図６】他の実施の形態に係る光ディスク１Ａの構成を示す断面図である。
【符号の説明】
【００４８】
１，１Ａ  光ディスク
２  ディスク本体
２ａ  記録面
２ｂ  レーベル面
２ｃ  中心孔
３  記録層
４，４ａ  クリーニング部
５  挿入用孔
６  ブラシ
Ａ１  内周領域
Ａ２  記録処理用領域
Ａ３  リードインエリア
Ａ４  データ記録領域
Ａ５  リードアウトエリア
Ｈ  高さ
Ｗ  幅
【図１】
0003134492.tif 000003
【図２】
0003134492.tif 000004
【図３】
0003134492.tif 000005
【図４】
0003134492.tif 000006
【図５】
0003134492.tif 000007
【図６】
0003134492.tif 000008